(57)【要約】【課題】  キーパッドのキー周囲に印加される静電気が携帯用端末機の内部に侵入して引き起こす携帯用端末機の誤動作の発生及び内部部品の破損を防止し得る携帯用端末機の静電気放電装置を提供する。【解決手段】  携帯用端末機の静電気放電装置は、伝導層が形成されたキーと、静電気を通電及び放電させるグラウンドパスと、前記伝導層が形成されたキーに帯電する静電気を前記グラウンドパスに通電させる通電パスと、を含む。さらに、本発明は、キーに帯電する静電気を放電させる静電気放電方法を含む。【選択図】    図１
2005327715.tif 000002
【特許請求の範囲】
【請求項１】
ケーシングと、
伝導層が形成された１つのキーまたは複数のキーを含むキーグループを備え、前記ケーシングに装着されるキーパッドと、
前記ケーシングに装着されるメインボードと、を含む携帯用端末機において、
前記携帯用端末機の一部に備えられて静電気を通電及び放電させるグラウンドパスと、
前記伝導層が形成された１つのキーまたは複数のキーと前記グラウンドパスとを通電させる通電パスと、
を含むことを特徴とする携帯用端末機の静電気放電装置。
【請求項２】
前記グラウンドパスが、前記ケーシングに備えられ、前記ケーシングの所定領域に形成された導電性薄膜で形成されたことを特徴とする請求項１に記載の携帯用端末機の静電気放電装置。
【請求項３】
前記導電性薄膜が、ＥＭＩ塗料を噴射することで形成されたことを特徴とする請求項２に記載の携帯用端末機の静電気放電装置。
【請求項４】
前記ケーシングが、前記キーグループが位置するキー孔が形成された前面ケースと、前記前面ケースと結合されて内部空間を形成する後面ケースと、から構成され、前記グラウンドパスが、前記前面ケースの内面に備えられたことを特徴とする請求項１に記載の携帯用端末機の静電気放電装置。
【請求項５】
前記グラウンドパスが、前記前面ケースの内面及び後面ケースの内面にそれぞれ備えられ、該前面ケースのグラウンドパスと後面ケースのグラウンドパスが互いに連結されたことを特徴とする請求項４に記載の携帯用端末機の静電気放電装置。
【請求項６】
前記キーパッドが、所定面積を有して柔軟性材質から形成されたパッドと、前記パッドに取り付けられるキーグループと、から構成され、前記通電パスが、前記パッドに備えられたことを特徴とする請求項１に記載の携帯用端末機の静電気放電装置。
【請求項７】
前記通電パスが、所定形状の導電性薄膜で形成されたことを特徴とする請求項６に記載の携帯用端末機の静電気放電装置。
【請求項８】
前記通電パスが、カーボン、銅、金または銀のいずれか１つの材質から形成されたことを特徴とする請求項６に記載の携帯用端末機の静電気放電装置。
【請求項９】
前記通電パスが、前記キーパッドのケーシングに接触する面に前記伝導層が形成されたキーを連結するように形成されたことを特徴とする請求項１に記載の携帯用端末機の静電気放電装置。
【請求項１０】
前記通電パスが、伝導層が形成されたキーと接触する第１接地部と、前記グラウンドパスと接触する第２接地部と、前記第１接地部と第２接地部とを連結する連結部と、を含むことを特徴とする請求項１に記載の携帯用端末機の静電気放電装置。
【請求項１１】
前記通電パスが、前記キーパッドとケーシングとの間に挿入される導電板によって形成されたことを特徴とする請求項１に記載の携帯用端末機の静電気放電装置。
【請求項１２】
前記通電パスが、前記キーパッドに取り付けられる導電性テープであることを特徴とする請求項１に記載の携帯用端末機の静電気放電装置。
【請求項１３】
前記キーグループが、数字または文字を入力する数字キーと、作動機能を入力する作動キーと、から構成され、前記作動キーのうち少なくとも１つには金属伝導層が形成されたことを特徴とする請求項１に記載の携帯用端末機の静電気放電装置。
【請求項１４】
前記グラウンドパスが、前記ケーシングに装着された入出力コネクタの表面に電気的に接続されることを特徴とする請求項１に記載の携帯用端末機の静電気放電装置。
【請求項１５】
前記グラウンドパスと入出力コネクタとが、導電性ガスケットによって電気的に接続することを特徴とする請求項１４に記載の携帯用端末機の静電気放電装置。
【請求項１６】
前記キーパッドが、電子発光キーパッドをさらに含むことを特徴とする請求項１に記載の携帯用端末機の静電気放電装置。
【請求項１７】
前記グラウンドパスが、前記メインボードに形成され、前記キーパッドと接触されるメインボードの縁部に形成された導電性薄膜であることを特徴とする請求項１７に記載の携帯用端末機の静電気放電装置。
【請求項１８】
前記導電性薄膜が、ＥＭＩ塗料を噴射することで形成されたことを特徴とする請求項１７に記載の携帯用端末機の静電気放電装置。
【請求項１９】
伝導層が形成されたキーと、
静電気を通電及び放電させるグラウンドパスと、
前記伝導層が形成されたキーに帯電する静電気を前記グラウンドパスに通電させる通電パスと、
を含むことを特徴とする携帯用端末機の静電気放電装置。
【請求項２０】
伝導層が形成されたキーに静電気が帯電する段階と、
該キーに帯電する静電気を携帯用端末機の一部に形成される通電パスを通じて通電させる段階と、
前記通電パスを通じて通電された静電気をグラウンドパスを通じて通電及び放電させる段階と、
を含むことを特徴とする携帯用端末機の静電気放電方法。
【請求項２１】
前記グラウンドパスを前記携帯用端末機の本体を構成するケーシングに備え、静電気は前記ケーシングに備えられたグラウンドパスを通じて通電及び放電されることを特徴とする請求項２０に記載の携帯用端末機の静電気放電方法。
【請求項２２】
前記グラウンドパスを前記携帯用端末機の本体を構成するメインボードに備え、静電気はメインボードに備えられたグラウンドパスを通じて通電及び放電されることを特徴とする携帯用端末機の静電気放電方法。
【発明の詳細な説明】
【技術分野】
【０００１】
本発明は、携帯用端末機に関し、特に、キーパッドのキーの周囲に帯電する静電気による携帯用端末機の誤動作及び内部部品の破損を防止し得る携帯用端末機の静電気放電装置及び放電方法に関する。
【背景技術】
【０００２】
一般の携帯用端末機は、携帯が簡便で、使用者が携帯中にどこでも相手と音声送受信できる通信機器である。この携帯用端末機は、情報通信機術の発展に伴い、メールの送受信機能、インターネット接続機能、テレビ受信機能だけでなく、カメラを備えて静止画像や動画像を撮影し、該撮影された静止画像や動画像を送受信する機能を有するようになった。この携帯用端末機の使用領域は持続的に拡大している。
【０００３】
前記携帯用端末機は、外形構造によって、ストレート型携帯用端末機、フリップ型携帯用端末機、折り畳み型携帯用端末機、スライド型携帯用端末機などの多様な形態がある。
【０００４】
前記ストレート型携帯用端末機は、内部にＰＣＢが装着された本体にキー、ディスプレイ、スピーカー及びマイクなどが全て備えられた形態である。
【０００５】
前記フリップ型携帯用端末機は、本体と、該本体の一側に回動可能に結合されたフリップと、から構成され、前記本体にキー、ディスプレイ及びスピーカーなどが備えられ、前記フリップにマイクが備えられた形態である。
【０００６】
前記折り畳み型携帯用端末機は、本体と、該本体の一側に回動可能に結合された蓋部と、から構成され、前記本体にキー及びマイクなどが備えられ、前記蓋部にディスプレイ及びスピーカーなどが備えらえる。
【０００７】
前記スライド型携帯用端末機は、本体と、該本体にスライド可能に結合されたスライダーと、から構成され、前記本体にキー及びマイクなどが備えられ、前記スライダーにディスプレイ及びスピーカーなどが備えられる。
【０００８】
前記携帯用端末機は、相手から電話がかってきた場合、受信キーを押して相手と通話し、相手に電話をかける場合は、キーを利用して番号を入力した後、送信キーを押して、相手と連結されると、通話をする。
【０００９】
また、携帯用端末機によってインターネットを利用するか、または、文字メッセージを送る場合は、キーを利用してメッセージを入力する。
【００１０】
しかしながら、前記携帯用端末機は、使用者がキーを押してメッセージなどの信号を入力する過程で使用者の接触によって発生（または、物体との接触によって発生）した静電気がキー間の隙間などを通じて携帯用端末機の内部に侵入し、該携帯用端末機の内部に侵入した静電気のノイズによる携帯用端末機のソフトウェアの損傷によって誤動作が発生するか、または、ハードウェアが破損することがある。特に、携帯用端末機の機能の多様化及び性能の向上に伴い、静電気による障害が増加している。
【００１１】
最近、キーの表面などに静電気遮断手段を備えることによって、静電気の帯電を遮断する技術が採用されているが、このような静電気遮断手段のみではキーの周囲に印加される静電気を完全に遮断することができないため、静電気によって発生する障害を十分に解決することができない。
【発明の開示】
【発明が解決しようとする課題】
【００１２】
本発明は、前述したような問題点を解決するために提案されたもので、本発明の目的は、キーパッドのキーの周囲に帯電した静電気が携帯用端末機の内部に侵入して引き起こす携帯用端末機の誤動作の発生及び内部部品の破損を防止し得る携帯用端末機の静電気放電装置及び放電方法を提供することにある。
【課題を解決するための手段】
【００１３】
このような目的を達成するために、本発明による携帯用端末機の静電気放電装置は、伝導層が形成されたキーと、静電気を通電及び放電させるグラウンドパスと、前記伝導層が形成されたキーに帯電する静電気を前記グラウンドパスに通電させる通電パスと、を含むことを特徴とする。
【００１４】
本発明による携帯用端末機の静電気放電装置は、ケーシングと、伝導層が形成された１つのキーまたは複数のキーを含むキーグループを備え、前記ケーシングに装着されるキーパッドと、前記ケーシングに装着されるメインボードと、を含む携帯用端末機において、前記携帯用端末機の一部に備えられて静電気を通電及び放電させるグラウンドパスと、前記伝導層が形成された１つのキーまたは複数のキーと前記グラウンドパスとを通電させる通電パスと、を含むことを特徴とする。
【００１５】
本発明による携帯用端末機の静電気放電方法は、伝導層が形成されたキーに静電気が帯電する段階と、該キーに帯電する静電気を携帯用端末機の一部に形成される通電パスを通じて通電させる段階と、前記通電パスを通じて通電された静電気をグラウンドパスを通じて通電及び放電させる段階と、を含むことを特徴とする。
【００１６】
上記目的を達成するために、本発明は、例えば、以下の手段を提供する。
（項目１）
ケーシングと、
伝導層が形成された１つのキーまたは複数のキーを含むキーグループを備え、前記ケーシングに装着されるキーパッドと、
前記ケーシングに装着されるメインボードと、を含む携帯用端末機において、
前記携帯用端末機の一部に備えられて静電気を通電及び放電させるグラウンドパスと、
前記伝導層が形成された１つのキーまたは複数のキーと前記グラウンドパスとを通電させる通電パスと、
を含むことを特徴とする携帯用端末機の静電気放電装置。
（項目２）
前記グラウンドパスが、前記ケーシングに備えられ、前記ケーシングの所定領域に形成された導電性薄膜で形成されたことを特徴とする項目１に記載の携帯用端末機の静電気放電装置。
（項目３）
前記導電性薄膜が、ＥＭＩ塗料を噴射することで形成されたことを特徴とする項目２に記載の携帯用端末機の静電気放電装置。
（項目４）
前記ケーシングが、前記キーグループが位置するキー孔が形成された前面ケースと、前記前面ケースと結合されて内部空間を形成する後面ケースと、から構成され、前記グラウンドパスが、前記前面ケースの内面に備えられたことを特徴とする項目１に記載の携帯用端末機の静電気放電装置。
（項目５）
前記グラウンドパスが、前記前面ケースの内面及び後面ケースの内面にそれぞれ備えられ、該前面ケースのグラウンドパスと後面ケースのグラウンドパスが互いに連結されたことを特徴とする項目４に記載の携帯用端末機の静電気放電装置。
（項目６）
前記キーパッドが、所定面積を有して柔軟性材質から形成されたパッドと、前記パッドに取り付けられるキーグループと、から構成され、前記通電パスが、前記パッドに備えられたことを特徴とする項目１に記載の携帯用端末機の静電気放電装置。
（項目７）
前記通電パスが、所定形状の導電性薄膜で形成されたことを特徴とする項目６に記載の携帯用端末機の静電気放電装置。
（項目８）
前記通電パスが、カーボン、銅、金または銀のいずれか１つの材質から形成されたことを特徴とする項目６に記載の携帯用端末機の静電気放電装置。
（項目９）
前記通電パスが、前記キーパッドのケーシングに接触する面に前記伝導層が形成されたキーを連結するように形成されたことを特徴とする項目１に記載の携帯用端末機の静電気放電装置。
（項目１０）
前記通電パスが、伝導層が形成されたキーと接触する第１接地部と、前記グラウンドパスと接触する第２接地部と、前記第１接地部と第２接地部とを連結する連結部と、を含むことを特徴とする項目１に記載の携帯用端末機の静電気放電装置。
（項目１１）
前記通電パスが、前記キーパッドとケーシングとの間に挿入される導電板によって形成されたことを特徴とする項目１に記載の携帯用端末機の静電気放電装置。
（項目１２）
前記通電パスが、前記キーパッドに取り付けられる導電性テープであることを特徴とする項目１に記載の携帯用端末機の静電気放電装置。
（項目１３）
前記キーグループが、数字または文字を入力する数字キーと、作動機能を入力する作動キーと、から構成され、前記作動キーのうち少なくとも１つには金属伝導層が形成されたことを特徴とする項目１に記載の携帯用端末機の静電気放電装置。
（項目１４）
前記グラウンドパスが、前記ケーシングに装着された入出力コネクタの表面に電気的に接続されることを特徴とする項目１に記載の携帯用端末機の静電気放電装置。
（項目１５）
前記グラウンドパスと入出力コネクタとが、導電性ガスケットによって電気的に接続することを特徴とする項目１４に記載の携帯用端末機の静電気放電装置。
（項目１６）
前記キーパッドが、電子発光キーパッドをさらに含むことを特徴とする項目１に記載の携帯用端末機の静電気放電装置。
（項目１７）
前記グラウンドパスが、前記メインボードに形成され、前記キーパッドと接触されるメインボードの縁部に形成された導電性薄膜であることを特徴とする項目１７に記載の携帯用端末機の静電気放電装置。
（項目１８）
前記導電性薄膜が、ＥＭＩ塗料を噴射することで形成されたことを特徴とする項目１７に記載の携帯用端末機の静電気放電装置。
（項目１９）
伝導層が形成されたキーと、
静電気を通電及び放電させるグラウンドパスと、
前記伝導層が形成されたキーに帯電する静電気を前記グラウンドパスに通電させる通電パスと、
を含むことを特徴とする携帯用端末機の静電気放電装置。
（項目２０）
伝導層が形成されたキーに静電気が帯電する段階と、
該キーに帯電する静電気を携帯用端末機の一部に形成される通電パスを通じて通電させる段階と、
前記通電パスを通じて通電された静電気をグラウンドパスを通じて通電及び放電させる段階と、
を含むことを特徴とする携帯用端末機の静電気放電方法。
（項目２１）
前記グラウンドパスを前記携帯用端末機の本体を構成するケーシングに備え、静電気は前記ケーシングに備えられたグラウンドパスを通じて通電及び放電されることを特徴とする項目２０に記載の携帯用端末機の静電気放電方法。
（項目２２）
前記グラウンドパスを前記携帯用端末機の本体を構成するメインボードに備え、静電気はメインボードに備えられたグラウンドパスを通じて通電及び放電されることを特徴とする携帯用端末機の静電気放電方法。
【発明の効果】
【００１７】
本発明による携帯用端末機の静電気放電装置は、携帯用端末機のキーの周辺に静電気が印加される場合、該キーの周辺に印加される静電気を伝導層が形成されたキー、通電パス及びグラウンドパスを通じて外部に放電させることにより、静電気が携帯用端末機の内部部品に侵入することを防止する。従って、静電気ノイズによるソフトウェアの誤動作の発生を防止すると共に、ハードウェアの破損を防止することができる。これによって、携帯用端末機の信頼性を向上し得るという効果がある。
【発明を実施するための最良の形態】
【００１８】
以下、本発明の実施形態による携帯用端末機の静電気放電装置及び放電方法を図面を参照して詳細に説明する。
【００１９】
図１は、本発明の第１実施形態による携帯用端末機の静電気放電装置を備えた携帯用端末機の本体の分解斜視図で、図２は、図１の携帯用端末機の本体が組み立てられた状態の断面図である。
【００２０】
図示されたように、携帯用端末機の本体は、前面ケース１０と後面ケース２０から構成されるケーシングと、複数のキー（キーグループ）３０を備え、該キー３０が前記ケーシングの外部に露出されるように前記ケーシングの内部に装着されるキーパッドＫＰと、キーパッドＫＰのキー３０に対応する複数のドームスイッチ４１を備えて前記ケーシングの内部に装着されるメインボード４０と、キーパッドＫＰのキー３０の周囲に静電気が印加される時、その静電気を放電させる静電気放電装置と、を含む。
【００２１】
前面ケース１０には、キーパッドＫＰのキー３０が位置する複数のキー孔１１が貫通形成され、前面ケース１０の内面には、ねじ（図示せず）が締め付けられるための複数のボス部１２と、複数の係止ピン部１３がそれぞれ突出形成される。さらに、前面ケース１０には、静電気を通電及び放電させるグラウンドパス（ｇｒｏｕｎｄ）１４が備えられる。前面ケース１０のグラウンドパス１４は、該前面ケース１０の内面全体に形成された導電薄膜からなる。前記導電用薄膜は、ＥＭＩ塗料を噴射して形成されることが望ましい。前記導電用薄膜の抵抗値は１．２オーム以下にすることが望ましい。
【００２２】
後面ケース２０は、内面に前面ケース１０のボス部１２に対応する複数のボス部２１が形成される。また、後面ケース２０の内面には、静電気を通電及び放電させるグラウンドパス２２が備えられる。後面ケース２０のグラウンドパス２２は、該後面ケース２０の内面全体に形成された導電用薄膜からなる。前記導電用薄膜は、ＥＭＩ塗料を噴射して形成されることが望ましい。前記導電用薄膜の抵抗値は、１．２オーム以下にすることが望ましい。
【００２３】
前面ケース１０のグラウンドパス１４と後面ケース２０のグラウンドパス２２は、前面ケース１０と後面ケース２０の結合時に連結されることが望ましい。該グラウンドパス１４とグラウンドパス２２は、前面ケース１０のボス部１２に形成されたグラウンドパスと後面ケース２０のボス部２１に形成されたグラウンドパスとの接触によって連結される。
【００２４】
後面ケース２０の一側の端部には入出力コネクタ５０が装着される。入出力コネクタ５０は、通常導電性金属材質で形成され、後面ケース２０に備えられたグラウンドパス２２と電気的に接続されることが望ましい。後面ケース２０のグラウンドパス２２と入出力コネクタ５０は、導電性ガスケット６０によって電気的に接続される。
【００２５】
前面ケース１０及び後面ケース２０は、通常プラスチック材質から形成される。
【００２６】
キーパッドＫＰは、所定厚さ及び面積を有して柔軟性材質から形成されたパッド７０と、該パッド７０に取り付けられる複数のキー３０と、から構成される。
【００２７】
パッド７０は、一側に複数の延長部７１が備えられ、該延長部７１にはそれぞれ貫通孔７２が形成される。キーパッドＫＰと前面ケース１０の結合時、延長部７１に形成された貫通孔７２に前面ケース１０の係止ピン部１３がそれぞれ挿入される。また、パッド７０の延長部７１以外の部分にも複数の貫通孔７２が形成され、該貫通孔７２は、前面ケース１０の係止ピン部１３と相応する位置に形成される。パッド７０は、一般にゴム材質から形成される。
【００２８】
キーパッドＫＰのキー３０は、数字または文字を入力するための数字キー３１と、作動信号を入力するための作動キー３２と、から構成される。
【００２９】
数字キー３１及び作動キー３２は、パッド７０の一面にそれぞれ取り付けられる。一般に、数字キー３１及び作動キー３２は、別の領域に配列される。
【００３０】
数字キー３１及び作動キー３２のうち少なくとも１つのキーには伝導層が形成される。前記伝導層が形成されるキーＫ１は、作動キー３２のうち最大面積を有するキーまたは頻繁に使用するキーであることが望ましい。前記キーに伝導層を形成することは、製品のデザイン面に優れ、ユニークにするためでもある。
【００３１】
キーパッドＫＰに静電気が流れる通電パス８０が備えられ、該通電パス８０は、パッド７０のキー３０取り付け面にパターニングして形成された薄膜からなる。通電パス８０は、前記伝導層が形成されたキーＫ１が取り付けられる領域に所定形状を有して形成され、該キーＫ１と接触する第１接地部８１と、パッド７０の延長部７１にそれぞれ形成される第２接地部８２と、第１接地部８１と第２接地部８２とを連結する連結部８３と、からなる。
【００３２】
前記薄膜は、炭素、銅、金、銀などの材質のいずれか１つの材質から形成されることが望ましい。通電パス８０の抵抗値は、１０オーム以下であることが望ましい。
【００３３】
一方、通電パス８０の他の変形例として、前記通電パス８０が所定形状を有する導電性薄膜テープ（図示せず）によって形成することができる。前記導電性薄膜テープは、パッド７０に取り付けられる。
【００３４】
メインボード４０は、所定形状を有する基板４２と、基板４２の一面に装着される部品と、基板４２の他面に備えられる複数のドームスイッチ４１と、を含む。キーパッドＫＰのキー３０及びドームスイッチ４１の位置は互いに対応する。
【００３５】
未説明の符号９０は内部カバーである。
【００３６】
前記本体を構成する部品の組立構造は以下の通りである。
【００３７】
前面ケース１０のキー孔１１とキーパッドＫＰのキー３０の位置が対応するように前面ケース１０にキーパッドＫＰが結合される。ここで、キーパッドＫＰの貫通孔７２に前面ケース１０の係止ピン部１３がそれぞれ挿入され、キーパッドＫＰに形成された通電パス８０の第２接地部８２が前面ケース１０の内側に備えられたグラウンドパス１４と接地される。伝導層が形成されたキーＫ１は、パッド７０に形成された通電パス８０の第１接地部８１と接触されるように取り付けられる。
【００３８】
ドームスイッチ４１が備えられたメインボード４０の面とパッド７０のキー３０非取り付けの面が接触し、メインボード４０に内部カバー９０が接触されるように結合される。
【００３９】
前面ケース１０と後面ケース２０は、該前面ケース１０のボス部１２と後面ケース２０のボス部２１の位置が一致した状態で、ねじ（図示せず）がボス部１２、２１に締め付けられることによって結合される。
【００４０】
以下、このような本発明による携帯用端末機の静電気放電装置の作用を説明する。
【００４１】
前記携帯用端末機に物体が接触されるか、使用者が携帯用端末機を使用するためにキー３０を押すことにより、キー３０の周辺に静電気が印加されると、該静電気は、静電気がよく流れる伝導層が形成されたキーＫ１に流入する。キーＫ１に流入した静電気は、キーパッドＫＰに備えられた通電パス８０を通じて前記ケーシングに備えられたグラウンドパス１４、２２に通電され、グラウンドパス１４、２２に通電された静電気は、ケーシングまたは該ケーシングに結合されたねじなどを通じて、または、前記ケーシングに装着された入出力コネクタ５０を通じて外部に放電される。
【００４２】
一方、図３は、本発明による静電気放電装置が適用された電子発光キーパッドＫＰ付きの携帯用端末機の分解斜視図である。図１及び図２と同一の部分に対しては同一の符号を付与する。
【００４３】
図示されたように、前面ケース１０、後面ケース２０、メインボード４０及び内部カバー９０は、前述した通りである。
【００４４】
また、キーパッドＫＰは、前述した構成と同一であるが、パッドが透明材質から形成される。
【００４５】
電子発光キーパッド１００は、パッド１０１と、該パッド１０１に配列される電子発光ランプ１０２と、を含む。電子発光ランプ１０２は、パッド１１０にパターニングされた連結ライン１０３によって連結され、駆動回路部（図示せず）によって点灯する。
【００４６】
電子発光キーパッド１００は、メインボード４０とキーパッドＫＰ間に位置する。一方、電子発光キーパッド１００は、キーパッドＫＰのパッド７０の内部に挿入される。
【００４７】
電子発光キーパッド１００を備えた携帯用端末機は、電子発光キーパッド１００の電子発光ランプ１０２から光が発生するため、よりユニークな外観を有する。
【００４８】
以下、本発明の第２実施形態による携帯用端末機の静電気放電装置を説明する。
【００４９】
図４は、本発明の第２実施形態による携帯用端末機の静電気放電装置が適用された携帯用端末機の本体の分解斜視図である。以前の実施形態と同一の部分に対しては同一の符号を付与する。
【００５０】
図示されたように、前面ケース１０、後面ケース２０及びメインボード４０は、前述した構成と同様である。また、数字キー３１と作動キー３２のうち複数のキーまたは全てのキーに伝導層が形成される。
【００５１】
また、パッド７０の一面に通電パス８０が形成され、該通電パス８０は、伝導層が形成されたキー間を連結すように形成される。通電パス８０は、パッド７０のキー３０取り付け面に形成される。通電パス８０は、所定形状にパターニングされた薄板によって形成され、該薄板は、炭素、銅、金、銀などの導電性材料から形成される。
【００５２】
キーパッドＫＰが前面ケース１０に装着されるとき、通電パス８０とグラウンドパス１４が互いに接触して接地される。
【００５３】
以下、本発明の第２実施形態による携帯用端末機の静電気放電装置の作用を説明する。
【００５４】
キー３０の周辺に静電気が印加されると、キー３０の周辺に印加された静電気が伝導層が形成されたキーＫ１に流入される。前記伝導層が形成されたキーＫ１に流入された静電気は、キーパッドＫＰに形成された通電パス８０を通じてケーシングに備えられたグラウンドパス１４、２２に通電され、前記ケーシングのグラウンドパス１４、２２に通電された静電気は、前記ケーシングまたは該ケーシングに結合されたねじなどを通じて、または、ケーシングに装着された入出力コネクタ５０を通じてケーシングの外部に放電される。
【００５５】
以下、本発明の第３実施形態による携帯用端末機の静電気放電装置を説明する。
【００５６】
図５は、本発明の第３実施形態による携帯用端末機の静電気放電装置が適用された携帯用端末機の本体の分解斜視図である。以前の実施形態と同一の部分に対しては同一の符号を付与する。
【００５７】
図示されたように、前面ケース１０、後面ケース２０、メインボード４０及び内部カバー９０は、前述した構成と同様である。キーパッドＫＰは、所定厚さ及び面積を有して柔軟性材質から形成されたパッド７０と、該パッド７０に取り付けられる複数のキー３０と、から構成され、キー３０のうち複数のキーまたは全体のキーに伝導層が形成される。パッド７０には通電パスが備えられない。
【００５８】
また、前面ケース１０とキーパッドＫＰとの間に導電性材料から形成された導電板１１０が結合される。
【００５９】
導電板１１０は、パッド７０の外形に対応して形成された薄板であり、その内部にキーパッドＫＰのキー３０と対応してキー孔１１１が形成される。導電板１１０は、パッド７０のキー３０取り付け面に位置し、キーパッドＫＰと共に前面ケース１０に結合される。ここで、導電板１１０は、前面ケース１０のグラウンドパス１４に接地される。
【００６０】
以下、本発明の第３実施形態による携帯用端末機の静電気放電装置の作用を説明する。
【００６１】
キー３０の周辺に静電気が印加されると、該静電気が導電板１１０を通じてケーシングのグラウンドパス１４、２２に通電され、該ケーシングのグラウンドパス１４、２２に通電された静電気は、前記ケーシングまたは該ケーシングに結合されたねじなどを通じて、または、前記ケーシングに装着された入出力コネクタ５０を通じてケーシングの外部に放電される。
【００６２】
以下、本発明の第４実施形態による携帯用端末機の静電気放電装置を説明する。
【００６３】
図６は、本発明の第４実施形態による携帯用端末機の静電気放電装置を備えた携帯用端末機の本体の分解斜視図である。以前の実施形態と同一の部分に対しては同一の符号を付与する。
【００６４】
図示されたように、前面ケース１０及び後面ケース２０は、前述した構成と同様であるが、グラウンドパスは備えられていない。
【００６５】
前面ケース１０に装着されるキーパッドＫＰは、所定厚さ及び所定形状を有する柔軟性材質から形成されたパッド７０と、該パッド７０に取り付けられる複数のキー３０と、から構成される。また、キーパッドＫＰに通電パス８０が備えられる。
【００６６】
キー３０は、数字キー３１と作動キー３２から構成され、キー３０のうち１つのキーまたは複数のキーに伝導層が形成される。伝導層が１つのキーに形成される場合、該キーは作動キー３２のうち最大面積を有するキーまたは最も頻繁に使用されるキーであることが望ましい。以下、１つのキーに伝導層が形成されたものに基づいて説明する。
【００６７】
通電パス８０は、パッド７０上のキーＫ１が位置する面に所定形状の薄板から形成された第３接地部８４と、パッド７０の第３接地部８４取り付け面の反対面に所定形状の薄板で形成された第４接地部８５と、前記第３接地部８４と第４接地部８５を連結する連結部８６と、からなる。連結部８６は、パッド７０に貫通形成されるか、またはパッド７０の側面に形成される。
【００６８】
通電パス８０は、薄板から形成され、前記薄板は、カーボン、銅、金、銀などの材質のいずれか１つの材質から形成されることが望ましい。通電パス８０の抵抗値は、少なくとも１０オーム以下であることが望ましい。
【００６９】
一方、通電パス８０の他の変形例として、通電パス８０が所定形状を有する導電性薄膜テープによって形成することができる。前記導電性薄膜テープは、パッド７０に取り付けられる。
【００７０】
キーパッドＫＰのキー３０のうち伝導層が形成されたキーが複数である場合、通電パス８０は、該伝導層が形成された複数のキーを連結するように形成される。
【００７１】
メインボード４０は、所定形状を有する基板４２と、該基板４２の一側に装着される部品と、基板４２の一面に形成された複数のドームスイッチ４１と、を含む。ドームスイッチ４１は、キーパッドＫＰのキー３０と相応する位置に形成される。また、基板４２にグラウンドパス４３が形成される。グラウンドパス４３は、基板４２の縁部に所定面積を有するように形成された導電用薄膜である。
【００７２】
前記導電用薄膜は、ＥＭＩ塗料を噴射して形成されることが望ましい。前記導電用薄膜の抵抗値は、１．２オーム以下であることが望ましい。
【００７３】
メインボード４０に備えられたグラウンドパス４３と後面ケース２０の一側の端部に装着された入出力コネクタ５０が電気的に接続するように連結されることが望ましい。
【００７４】
以下、本発明の第４実施形態による携帯用端末機の静電気放電装置の組立構造を説明する。
【００７５】
まず、前面ケース１０、後面ケース２０、内部カバー９０、メインボード４０及びキーパッドＫＰが結合される構造は、前述した通りである。
【００７６】
キーパッドＫＰは、パッド７０にキー３０を取り付けることによって形成され、キー３０のうち伝導層が形成されたキーＫ１が通電パス８０の第３接地部８４に接触される。
【００７７】
通電パス８０の第４接地部８５がメインボード４０のグラウンドパス４３に接触される。メインボード４０のグラウンドパス４３は、ケーシングに装着された入出力コネクタ５０と電気的に接続されることが望ましい。
【００７８】
以下、本発明の第４実施形態による携帯用端末機の静電気放電装置を説明する。
【００７９】
前記携帯用端末機に物体が接触されるか、使用者が携帯用端末機を使用するためにキー３０を押すことにより、キー３０の周辺に静電気が印加される場合、該静電気は、静電気が流れる伝導層が形成されたキーＫ１に流入される。該伝導層が形成されたキーＫ１に流入された静電気は、通電パス８０を通じてメインボード４０に備えられたグラウンドパス４３に通電され、該グラウンドパス４３に通電された静電気は、ケーシングまたは該ケーシングに結合されたねじなどを通じて、または、前記ケーシングに装着された入出力コネクタ５０を通じて外部に放電される。
【００８０】
また、電子発光キーパッド１００が備えられた携帯用端末機に第４実施形態による静電気放電装置が適用される場合、キーパッドＫＰのパッド７０が透明材質から形成される。これに対する具体的な内容は、前述した通りである。
【００８１】
一方、図７は、前述した本発明の実施形態によって提示されたキーパッドＫＰの他の変形例を示す。
【００８２】
図示されたように、キーパッドＫＰは、通電パス８０とグラウンドパスとの接触をより完全にするために、キーパッドＫＰのパッド７０の一側に突出部７３を備える。該突出部７３は、グラウンドパスと接触される通電パス８０の一側に位置するように形成される。
【００８３】
図８は、キーパッドＫＰの他の変形例を示す。図示されたように、通電パス８０が備えられたキーパッドＫＰのパッド７０の一側に導電性材質から形成されたテープ７４が取り付けられる。該テープ７４は、通電パス８０の一側に位置するようにパッド７０に取り付けられ、パッド７０の面から突出する。
【００８４】
一方、第３実施形態を構成する導体板１１０の場合、前面ケース１０に形成されたグラウンドパス１４との接触をより完全にするために、導体板１１０の一側に突出部が備えられることが望ましい。
【００８５】
図９は、本発明による携帯用端末機の静電気放電方法の一実施形態を示すフローチャートである。図９に示すように、本発明による携帯用端末機の静電気放電方法は、伝導層が形成されたキーに静電気が帯電する段階と、該キーに帯電する静電気を携帯用端末機の本体の内部に形成される通電パスを通じて通電させる段階と、前記通電パスを通じて通電された静電気をグラウンドパスを通じて通電及び放電させる段階と、を含む。
【００８６】
つまり、使用者が携帯用端末機を使用するためにキーを押すとき、使用者によって発生する静電気を通電パスを通じてグラウンドパスに通電させ、該グラウンドに通電された静電気がグラウンドパスにおいて放電される。
【００８７】
前記グラウンドパスは、前記携帯用端末機の本体を構成するケーシングに備えられ、静電気は、ケーシングに備えられたグラウンドパスを通じて通電及び放電される。
【００８８】
また、前記グラウンドパスを前記携帯用端末機の本体を構成するメインボードに備えることもでき、静電気は、メインボードに備えられたグラウンドパスを通じて通電及び放電される
一方、本発明の携帯用端末機の静電気放電装置は、前述したような本体以外にもキーが備えられるスライダーまたは蓋部にも適用することができる。
【００８９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９０】
キーパッドのキー周囲に印加される静電気が携帯用端末機の内部に侵入して引き起こす携帯用端末機の誤動作の発生及び内部部品の破損を防止し得る携帯用端末機の静電気放電装置を提供する。
【００９１】
携帯用端末機の静電気放電装置は、伝導層が形成されたキーと、静電気を通電及び放電させるグラウンドパスと、前記伝導層が形成されたキーに帯電する静電気を前記グラウンドパスに通電させる通電パスと、を含む。さらに、本発明は、キーに帯電する静電気を放電させる静電気放電方法を含む。
【図面の簡単な説明】
【００９２】
【図１】本発明の第１実施形態による携帯用端末機の静電気放電装置を備えた携帯用端末機の本体の分解斜視図である。
【図２】図１の携帯用端末機の本体の断面図である。
【図３】本発明による携帯用端末機の静電気放電装置を備えた電子発光パッド用携帯用端末機の本体の分解斜視図である。
【図４】本発明の第２実施形態による携帯用端末機の静電気放電装置を備えた携帯用端末機の本体の分解斜視図である。
【図５】本発明の第３実施形態による携帯用端末機の情電気放電装置を備えた携帯用端末機の本体の分解斜視図である。
【図６】本発明の第４実施形態による携帯用端末機の静電気放電装置を備えた携帯用端末機の本体の分解斜視図である。
【図７】本発明による携帯用端末機の静電気放電装置を構成するキーパッドの変形例を示す断面図である。
【図８】本発明による携帯用端末機の静電気放電装置を構成するキーパッドの他の変形例を示す断面図である。
【図９】本発明による携帯用端末機の静電気放電方法の一実施形態を示すフローチャートである。
【符号の説明】
【００９３】
１０：前面ケース
１１：キー孔
１４、２２：グラウンドパス
２０：後面ケース
３１：数字キー
３２：作動キー
４０：メインボード
４１：ドームスイッチ
５０：入出力コネクタ
６０：導電性ガスケット
７０：パッド
８０：通電パス
８１：第１接地部
８２：第２接地部
８３：連結部
１００：電子発光パッド
１１０：導電板
ＫＰ：キーパッド
【図１】
2005327715.tif 000003
【図２】
2005327715.tif 000004
【図３】
2005327715.tif 000005
【図４】
2005327715.tif 000006
【図５】
2005327715.tif 000007
【図６】
2005327715.tif 000008
【図７】
2005327715.tif 000009
【図８】
2005327715.tif 000010
【図９】
2005327715.tif 000011